(57)【要約】【課題】  メンテナンス時等に、ロープやチェーンを水に浸すことなく、水中ポンプを容易に引き上げることが出来る水中ポンプ用昇降装置を得る。【解決手段】  水中ポンプと連結され該水中ポンプの上方へ延伸した水配管を保持し、昇降移動させる昇降機構と、この昇降機構を作業床上の所定の位置に固定する装置固定枠とを設けた。また、昇降機構を、水配管を挟み込んで保持するローラーと、該ローラーを回転駆動してこの水配管を昇降移動させるローラー駆動機構とで構成した。【選択図】  図１
2006250101.tif 000002
【特許請求の範囲】
【請求項１】
水中ポンプと連結され該水中ポンプの上方へ延伸した水配管を保持し、昇降移動させる昇降機構と、
上記昇降機構を作業床上の所定の位置に固定する装置固定枠と、
を備えたことを特徴とする水中ポンプ用昇降装置。
【請求項２】
水中ポンプと連結され該水中ポンプの上方へ延伸した水配管を挟み込んで保持するローラーと、
該ローラーを回転駆動して上記水配管を昇降移動させるローラー駆動機構と、
を備えたことを特徴とする水中ポンプ用昇降装置。
【請求項３】
水配管を挟み込むローラーは、少なくとも上下一対からなり、それぞれのローラーは駆動ローラーと可動ローラーとによって構成され、ローラーの軸間距離調整機能と挟圧力を維持する付勢機能を具備していることを特徴とする請求項２に記載の水中ポンプ用昇降装置。
【発明の詳細な説明】
【技術分野】
【０００１】
この発明は、例えば浄水場などにおける水を汲み上げる水中ポンプを、メンテナンスの際に引き上げるために使用される水中ポンプ用昇降装置に関するものである。
【背景技術】
【０００２】
従来、メンテナンス等のために水中ポンプを引き上げる場合には、水中ポンプを吊り下げているロープまたはチェーンを手動または自動巻上機構により昇降させることによって行なわれていた。（例えば、特許文献１参照）
【０００３】
【特許文献１】特開２００３−１０６２８６号公報（図１、図６）
【発明の開示】
【発明が解決しようとする課題】
【０００４】
従来の水中ポンプ用昇降装置は手動または自動巻上機構により、水中ポンプを吊り下げているロープまたはチェーンを昇降させるものであり、昇降中に水中ポンプが横方向に振れる場合があるため、水中ポンプを引き上げるために作業床に設けた貫通口を大きくしておく必要があった。また、特に浄水場においては、ゴミや微生物の付着し易いロープやチェーンを水中に浸けたままにしておくのは好ましくないという課題もあった。
【０００５】
この発明は上記のような課題を解決するためになされたものであり、作業床に設ける貫通口を小さく出来るとともに、ロープやチェーンを水中に浸けることなく、メンテナンスのために水中ポンプを容易に引き上げることの出来る水中ポンプ用昇降装置を得ることを目的とする。
【課題を解決するための手段】
【０００６】
この発明に係る水中ポンプ用昇降装置は、水中ポンプと連結され該水中ポンプの上方へ延伸した水配管を保持し、昇降移動させる昇降機構と、この昇降機構を作業床上の所定の位置に固定する装置固定枠とを設けたものである。
【発明の効果】
【０００７】
この発明によれば、水中ポンプから吐き出される水を送水するための水配管を利用して、水中ポンプを引き上げるので、作業床に設ける貫通口を小さく出来るとともに、ロープやチェーンを水中に浸けることの無い水中ポンプ用昇降装置が得られる。
【発明を実施するための最良の形態】
【０００８】
実施の形態１．
以下、この発明の実施の形態１を図１から図３に基づいて説明する。図１はこの発明の水中ポンプ用昇降装置を示す構成図、図２は図１の昇降機構部分の詳細構成を示す構成図、図３は図２におけるＡ−Ａ線に沿う断面図（図を見やすくするため、水配管１、駆動ローラー８、歯車１２および可動ローラー１３を断面で示す）である。図において上下方向に延伸された水配管１の下端部には水中ポンプ２が連結されている。この水配管１を通す貫通口３が作業床４に設けられている。昇降機構５，６は駆動ローラー部５と可動ローラー部６とに分かれ、具体的には図２および図３の構成になっている。駆動ローラー部５は軸受７に回転自在に軸支された上下一対の駆動ローラー８と、ハンドル９からの動力を駆動ローラー８に伝達する歯車１０で構成され、これら一式は装置固定枠１１によって作業床４上に固定されている。これに対し、可動ローラー部６は水配管１を上記駆動ローラー８との間で挟み込んで保持し、歯車１２によって駆動ローラー８からの動力を受けて回転する上下一対の可動ローラー１３と、この可動ローラー１３を回転自在に軸支する軸受１４からなる箱体構造である。箱体の４箇所にある可動ローラー部６の取付金具１５に介装された付勢ばね１６と二重ナット１７は、水配管１に対する所要の挟着力を発生し、かつ水配管１の太さに対応したローラー軸間距離の調整機能を持っている。水配管１の上部にあるフランジ部１８は水中ポンプ２を引き上げる際に、固定された配管との縁を切るために設けられている。なお、上記昇降機構の構成はこれに限定されるものではなく、水配管１を横振れしないように保持し、上下方向に昇降移動させるものであればよく、例えば、歯車１２を設けず、可動ローラー１３が挟持した水配管１の上下動に従って回転する（従動する）よう構成する等、種々の機構が考えられる。
【０００９】
昇降機構は上記で述べたように駆動ローラー８と可動ローラー１３によって水配管１に対する所要の挟着力を発生し、さらにハンドル９の回転でそれぞれの歯車を介して駆動ローラー８および可動ローラー１３に動力が伝わることによって、水配管１を上下移動させることができる。また、図示されていないが、歯車にラチェット機構を採用することで動作途中に手を離しても現在の位置を保ち、不意の落下を防止できる。なお、上記昇降機構は、歯車の代わりにワイヤーロープやチェーンを巻装した駆動力伝達機構を採用してもよく、駆動力はハンドル９の代わりにモーターの回転力で与えるものであっても良い。さらに、上記実施の形態では上下一対の駆動ローラー８と可動ローラー１３で挟着することによって、水配管１が横振れしないように保持しているが、少なくとも２点で水配管１を保持していれば、横振れの防止は可能である。
【００１０】
昇降機構を固定している装置固定枠１１はポールスタンド状のものであってもよく、また、作業床４と一体に構成されていてもよい。さらに、図示していないが、作業床４に開けられた貫通口３には昇降動作中以外の時はカバーを取り付けて、水流による水配管１の振動を抑制したり、貫通口３からの落下物を防止している。
【００１１】
次に動作について説明する。図１に示すような状態、すなわち水中ポンプ２が水中に降ろされ送水可能な状態から、水配管１を上昇させて水中ポンプ２を作業床４の上部まで引き上げてメンテナンスを実施するに際しては、まず、水配管１の上部にあるフランジ部１８で横方向に伸びた固定配管との縁を切るとともに、作業床４の貫通口３に取り付けられたカバーを外し、昇降機構のハンドル９を回すことによって水配管１を上昇させて、水中ポンプ２を作業床４の上部まで引き上げる。次に貫通口３に図示しないメクラカバーを取り付けて貫通口３からの落下物の防止を図った後、水中ポンプ２のメンテナンスを実施する。また、メンテナンス完了後、水中ポンプ２を元の送水可能な状態に移行する動作は、上記手順を逆に行なえばよい。上記実施の形態によれば、水配管１を利用して水中ポンプ２を引き上げることができるので、水中ポンプ２のメンテナンスが容易に出来るとともに、水配管１は一般に鋼管等の剛性の高い材料で作られているため、水流等により横方向の力が加わっても、水中ポンプ２の横振れは小さく、作業床４に開けた貫通口３をロープやチェーンで引き上げる場合に比べて小さくできる。また、水中ポンプ２を引き上げるためにロープやチェーンのような汚れや微生物のつきやすいものを水中に浸けることが無いため、特に浄水場では水質汚染の心配が無く有効である。
【００１２】
なお、上記の実施の形態では、水配管１を例にとって説明したが、上記の昇降機構が水以外の液体や流体、粉体等を移送する配管やポンプにも適用可能であることはいうまでもない。
【図面の簡単な説明】
【００１３】
【図１】この発明の実施の形態１を示す構成図
【図２】この発明の実施の形態１の昇降機構を示す構成図
【図３】この発明の実施の形態１の昇降機構を示す断面図
【符号の説明】
【００１４】
１  水配管
２  水中ポンプ
３  貫通口
４  作業床
５  駆動ローラー部
６  可動ローラー部
７  軸受
８  駆動ローラー
９  ハンドル（ローラー駆動機構）
１０  歯車（ローラー駆動機構）
１１  装置固定枠
１２  歯車（ローラー駆動機構）
１３  可動ローラー
１４  軸受
１５  取付金具
１６  付勢バネ
１７  二重ナット
１８  フランジ部
【図１】
2006250101.tif 000003
【図２】
2006250101.tif 000004
【図３】
2006250101.tif 000005